(57)【特許請求の範囲】
【請求項１】
生松脂からテレビン油を除いて得られるロジン変成物を含有することを特徴とする加熱蒸散用吸液芯。
【請求項２】
生松脂からテレビン油を除いて得られるロジン変成物の含有量が、吸液芯全量に対して0.001〜５重量％である請求項１に記載の吸液芯。
【請求項３】
生松脂からテレビン油を除いて得られるロジン変成物の含有量が、吸液芯全量に対して0.05〜5重量%である請求項１に記載の吸液芯。
【請求項４】
生松脂からテレビン油を除いて得られるロジン変成物の含有量が、吸液芯全量に対して0.05〜2重量である請求項1に記載の吸液芯。
【請求項５】
多孔質粉末７５〜９５重量％、糊剤４〜２０重量％、生松脂からテレビン油を除いて得られるロジン変成物0.001〜５重量％を含有する請求項１に記載の吸液芯。
【発明の詳細な説明】
【０００１】
【発明の属する技術分野】
本発明は加熱蒸散用吸液芯に関する。
【０００２】
【従来の技術】
従来より、殺虫液、芳香剤液等の薬液中に、吸液芯の一部を浸漬して該芯に薬液を吸液させ、該芯の薬液に浸漬されていない部分を加熱することにより、吸液された薬液を蒸散させる加熱蒸散方法が知られている。
【０００３】
【発明が解決しようとする課題】
しかしながら、薬液を吸い上げる能力（吸液能）に優れ、かつ、目詰まり等により吸液能の低下をきたすことなく、長時間にわたって安定した薬液の蒸散を行なうのは困難であることから、安定した蒸散を可能とするための加熱蒸散用吸液芯の開発が望まれていた。
本発明は、上述の課題を解決するものであり、ロジン変成物（modified rosinate）の添加により長時間にわたって安定した薬液の蒸散を行い得る吸液芯を提供するものである。
【０００４】
【課題を解決するための手段】
すなわち、本発明はロジン変成物を含有することを特徴とする加熱蒸散用吸液芯に関し、薬液中に吸液芯の一部を浸漬して該芯に薬液を吸液させ、該芯の薬液に浸漬させていない部分を加熱することにより、吸液された薬液を蒸散させる加熱蒸散方法に用いられる吸液芯において、ロジン変成物を含有することを特徴とする吸液芯に関するものである。本発明の加熱蒸散用吸液芯は使用中、目詰まりをおこすことなく、一定量の薬液を長期間にわたり蒸散させることができ、安定した薬液の蒸散を可能にする。
【０００５】
【発明の実施の形態】
本発明において用いられるロジン変成物とは、生松脂即ちマツ科Pinus属諸種の樹幹に切付して得られる天然樹脂を蒸留し、テレビン油を除いて得ることができ、アビエチン酸、ネオアビエチン酸、ジヒドロアビエチン酸、テトラヒドロアビエチン酸、デヒドロアビエチン酸、ピマル酸、イソピマル酸、レボピマル酸等の樹脂酸を主成分とする樹脂酸である。
【０００６】
本発明において、ロジン変成物は、吸液芯中に通常吸液芯全量に対して0.001〜５重量％、好ましくは0.05〜5重量%、さらに好ましくは0.05〜2重量％含有される。
【０００７】
本発明の吸液芯の主材質としては、通常無機又は有機の多孔質粉末を糊剤で固めたものが用いられ、多孔質粉末及び糊剤は、通常吸液芯全量に対して各々、７５〜９５重量％及び４〜２０重量％含有される。
【０００８】
本発明の吸液芯は例えば、クレー、カオリン、タルク、珪藻土、石膏、パーライト、ベントナイト、酸性白土、グラスファイバー、石綿、アルミナ、木粉、炭粉等の粉末にカルボキシメチルセルロースナトリウム、メチルセルロース、澱粉、アラビアガム、ゼラチン、ポリビニルアルコール等の糊剤を混合し、これにロジン変成物を添加し、水を加えて混練、押出成形、切断、乾燥、といった操作により製造される。
【０００９】
尚、ロジン変成物はこのようにそれ自身をそのまま添加してもよいが、混練する際に加える水中に予め界面活性剤又は少量のエタノール等の共存下に分散させたものを添加してもよい。
また、吸液芯中には、さらに色素、防腐剤等を適宜加えてもよい。
【００１０】
本発明の吸液芯を用いて薬液を加熱蒸散する方法において、薬液としては、例えばアレスリン(allethrin)、プラレトリン(prallethrin)、フラメトリン(furamethrin)、エムペントリン(empenthrin)、レスメトリン(resmethrin)、バイオアレスリン(bioallethrin)、エスビオスリン(esbiothrin)、フェノトリン(phenothrin)、ペルメトリン(permethrin)、トランスフルスリン(transfluthrin)、テラレスリン(terallethrin)、シラフルオフェン(silafluophen)、エトフェンプロックス(etofenprox)等のピレスロイド化合物(pyrethroid compound)を含有する殺虫液、バラ香料、ジャスミン香料等を含有する芳香液などが用いられる。殺虫液の場合、殺虫活性成分化合物は薬液中に通常0.1〜１０重量％含有される。
【００１１】
本発明の薬液においては、通常脂肪族飽和炭化水素、具体的にはデカン、ドデカン、トリデカン、テトラデカン、ペンタデカン、ヘキサデカン、オクタデカン等の炭素数１０〜１８のノルマルパラフィン又はそれらの混合物が溶剤として用いられ、市販のノルパー１２（エクソン化学製）、ノルパー１３（エクソン化学製）、ノルパー１５（エクソン化学製）、アイソパーＭ（エクソン化学製）の使用が好適である。
【００１２】
尚、薬液は、さらに共力剤、補助溶剤、香料、界面活性剤、潤滑剤、殺菌剤、安定化剤、色素、紫外線吸収剤、紫外線遮断剤等を含有してもよい。
【００１３】
本発明の吸液芯の使用に際しては、例えば特公平２−２５８８５号公報に記載の加熱蒸散型殺虫装置に適用して、優れた効果をあげることができる。
【００１４】
図１は、本発明の吸液芯を用いた加熱蒸散装置の一例を示すものであり、薬液１中に、吸液芯３の一部が浸漬されており、該芯に薬液を吸液させ、該芯の上部を環状の発熱体２で間接加熱することができるようになっている。該加熱温度は薬液の種類等によるが、吸液芯の表面温度にして一般に約６０〜約１６０℃に設定することで、上記ピレスロイド化合物や芳香剤の蒸散に適するようにすることができ、特に約１１０〜約１３５℃の範囲内とすることで、アレスリン、プラレトリン、フラメトリン、エムペントリン、レスメトリン、バイオアレスリン、エスビオスリンの蒸散により適するようにすることができる。
【００１５】
【実施例】
以下、本発明を実施例を挙げてより詳細に説明する。
製造例１
以下の表１に示す配合（数字は重量%）の混合物１および混合物２それぞれ100重量部に、1.5重量部のMicro-Air-202（株式会社ポゾリス物産製ロジン変成物）および水73.0重量部を加え、混練、押出し成形した後40℃で24時間乾燥して、直径7 mmの本発明の吸液芯１および２を製造した。
【００１６】
【表１】
0003757061.tif 000002
比較製造例１
上記表１に示す混合物１および２それぞれ100重量部に水73.0重量部を加え、混練、押出し成形した後40℃で24時間乾燥して、直径7 mmの比較用の吸液芯１および２を製造した。
試験例１
プラレトリンを0.667% (w/v)含有したn−パラフィン溶液（薬液）を加熱蒸散用ボトルに入れ、それぞれに製造例１および比較製造例１で製造した吸液芯と一体となった栓をして図１に示されるように加熱蒸散装置を設置した。発熱体の表面温度を約120 ℃に加熱して加熱蒸散を行った。加熱開始後４〜６時間、104〜106時間のそれぞれ２時間に揮散したプラレトリンの蒸散量および薬液の蒸散量を測定した。プラレトリンの蒸散量は蒸散物をシリカゲルカラムでトラップし、アセトンで抽出したものをガスクロマトグラフィーにより分析、測定した値を基に計算して求めた。薬液の蒸散量は、薬液の入ったボトルの重量の減少分とみなした。
結果を表２に示す。
【表２】
0003757061.tif 000003
【発明の効果】
このように、本発明の吸液芯の使用により、薬液の蒸散量及び活性成分薬剤の蒸散量を一定に保つことができる。
【図面の簡単な説明】
【図１】図１は、本発明の吸液芯を用いた加熱蒸散装置の一例を示す図である。
【符号の説明】
１・・水性殺虫液
２・・発熱体
３・・吸液芯
【図１】
0003757061.tif 000004